(57)【要約】【課題】使用後の廃棄が容易に行えるパウチ容器を提供する。【解決手段】フィルム状の材料を接合して形成された容器本体と、容器本体に取り付けられた口栓２０とを備えたパウチ容器は、口栓に、容器本体に接合される基部２１と、内腔を有する筒状に形成されて第一の端部が基部に接続された注出口部２２と、内腔に進入可能な形状を有し、注出口部の第二の端部に接続されて注出口部を密封する蓋部２３と、注出口部と蓋部とを水密を保持して接続する薄肉部４４と、薄肉部に設けられ、薄肉部の破壊に必要な力量を調節するリブ４５と薄肉部とは別に注出口部と蓋部とを接続する接続部材４６とを有し、薄肉部を破壊することにより、口栓を開封することができることを特徴とする。【選択図】図２
2014073865.tif 000002
【特許請求の範囲】
【請求項１】
フィルム状の材料を接合して形成された容器本体と、前記容器本体に取り付けられた口栓とを備えたパウチ容器であって、
前記口栓は、
前記容器本体に接合される基部と、
内腔を有する筒状に形成されて第一の端部が前記基部に接続された注出口部と、
前記内腔に進入可能な形状を有し、前記注出口部の第二の端部に接続されて前記注出口部を密封する蓋部と、
前記注出口部と前記蓋部とを水密を保持して接続する薄肉部と、
前記薄肉部に設けられ、前記薄肉部の破壊に必要な力量を調節するリブと
前記薄肉部とは別に前記注出口部と前記蓋部とを接続する接続部材と、を有し、
前記薄肉部を破壊することにより、前記口栓を開封することができることを特徴とするパウチ容器。
【請求項２】
前記注出口部はフランジを有し、
前記蓋部は第二フランジを有し、
前記接続部材は、前記フランジと前記第二フランジとを接続しており、かつ前記フランジと前記第二フランジとの間の距離よりも長いことを特徴とする請求項１に記載のパウチ容器。
【請求項３】
前記第二フランジと前記注出口部の外周面とを接続する第二リブをさらに備えることを特徴とする請求項２に記載のパウチ容器。
【発明の詳細な説明】
【技術分野】
【０００１】
本発明は、パウチ容器、より詳しくは、使用後の廃棄が容易なパウチ容器に関する。
【背景技術】
【０００２】
従来、飲料や流動性食品等の容器として、合成樹脂又は金属箔又は両者を積層して得られる２枚のフィルム材の周縁部を熱融着して形成したパウチに、注出筒を有する口栓を取り付けたパウチ容器が知られている。口栓を使用時まで密閉する構造はいくつか知られているが、特許文献１に示すようなスクリュー式のキャップを備えた密閉構造が広く知られている。
【先行技術文献】
【特許文献】
【０００３】
【特許文献１】実用新案登録第３１２９３０号公報
【発明の概要】
【発明が解決しようとする課題】
【０００４】
しかしながら、スクリュー式のキャップは、開封後に口栓から切り離されてしまうため、使用後に廃棄するゴミの点数が増えてしまい、廃棄時の取り扱いが煩雑になるという問題がある。
【０００５】
本発明は、上記事情に鑑みてなされたものであり、使用後の廃棄が容易に行えるパウチ容器を提供することを目的とする。
【課題を解決するための手段】
【０００６】
本発明は、フィルム状の材料を接合して形成された容器本体と、前記容器本体に取り付けられた口栓とを備えたパウチ容器であって、前記口栓は、前記容器本体に接合される基部と、内腔を有する筒状に形成されて第一の端部が前記基部に接続された注出口部と、前記内腔に進入可能な形状を有し、前記注出口部の第二の端部に接続されて前記注出口部を密封する蓋部と、前記注出口部と前記蓋部とを水密を保持して接続する薄肉部と、前記薄肉部に設けられ、前記薄肉部の破壊に必要な力量を調節するリブと前記薄肉部とは別に前記注出口部と前記蓋部とを接続する接続部材とを有し、前記薄肉部を破壊することにより、前記口栓を開封することができることを特徴とする。
【０００７】
前記注出口部はフランジを有し、前記蓋部は第二フランジを有し、前記接続部材は、前記フランジと前記第二フランジとを接続しており、かつ前記フランジと前記第二フランジとの間の距離よりも長くされてもよい。
【０００８】
また、本発明のパウチ容器は、前記第二フランジと前記注出口部の外周面とを接続する第二リブをさらに備えてもよい。
【発明の効果】
【０００９】
本発明のパウチ容器によれば、使用後の廃棄を容易に行うことができる。
【図面の簡単な説明】
【００１０】
【図１】本発明の第一実施形態のパウチ容器を示す斜視図である。
【図２】同パウチ容器の口栓を一部断面で示す正面図である。
【図３】同口栓を一部断面で示す右側面図である。
【図４】同口栓の平面図である。
【図５】同パウチ容器の変形例におけるリブを示す図である。
【図６】本発明の第二実施形態のパウチ容器における口栓を一部断面で示す正面図である。
【図７】同パウチ容器の変形例における口栓を示す図である。
【図８】同口栓の断面図である。
【発明を実施するための形態】
【００１１】
本発明の第一実施形態について、図１から図５を参照して説明する。
図１は、本実施形態のパウチ容器１を示す斜視図である。図１に示すように、パウチ容器１は、可撓性を有し、飲料や流動性食品等の内容物が充填される容器本体１０と、容器本体１０に取り付けられた口栓２０とを備えている。
【００１２】
容器本体１０は、フィルム状の材料で形成された公知の構成を有し、内容物が内部空間に密封状態で充填される。フィルム状の材料は、遮光性、内容物の保存性等を高めるためにアルミ層等の金属層を有するものでもよく、その場合、パウチ容器はいわゆるアルミパウチ容器となる。図１には、充填された内容物により底部が前側と後側とに離間することで自立可能な構造とされた容器本体の例を示しているが、これは必須ではなく、１枚の材料を折り曲げる又は前側と後側の２枚の材料の周縁部を熱融着等で接合することにより、容器本体を自立しない構成としてもよい。
【００１３】
図２は、口栓２０を一部断面で示す正面図であり、図３は、口栓２０を一部断面で示す右側面図である。また、図４は、口栓２０の平面図である。図１から図４に示すように、口栓２０は、樹脂等の材料で形成されており、容器本体１０に接合される基部２１と、基部２１から延びる注出口部２２と、注出口部２２に接続されて注出口部２２を密封する蓋部２３とを備えている。内容物が通過する内腔は、少なくとも基部２１および注出口部２２に、互いに連通するように設けられている。
【００１４】
注出口部２２は、略円筒形に形成されており、基部２１に近い下端（第一の端部）側に、径方向外側に突出するフランジ３１を有する。蓋部２３に近い上端（第二の端部）側は、端部に近づくにつれて肉薄になっており、徐々に外径が小さくなる基本形状とされているが、内腔の径（以下、「内径」と称する。）は軸線方向にわたり同一とされている。
【００１５】
蓋部２３は、略円筒状に形成された本体部４１と、本体部４１の径方向外側に突出したフランジ（第二フランジ）４２とを備えている。本体部４１の基本外径は、注出口部２２の内径よりもわずかに小さく設定されている。また、本体部４１の軸線方向中間部の一部は、周方向にわたって肉厚に形成された大径部４３とされている。大径部４３の外径は、注出口部２２の内径よりもわずかに大きいが、後述するように本体部４１を注出口部２２に挿入する際に弾性変形により内腔に進入可能な程度の寸法に設定されている。
【００１６】
蓋部２３の本体部４１と注出口部２２の上端部とは、薄肉部４４で周方向にわたって水密を確保するように接続されており、薄肉部４４によって、口栓２０開封前の密封性が保持されている。本実施形態では、注出口部２２と蓋部２３とを一体成型することにより薄肉部４４が形成されている。
【００１７】
薄肉部４４の一部には、剛性を調節するためのリブ４５が形成されており、リブ４５が形成された部位のみ他の部位に比して厚みが増している。リブ４５は、内腔の軸線Ｘに対して対称となるように、２以上の任意の偶数箇所設けることができ、本実施形態では、軸線Ｘを中心として９０度ごとに４か所設けられている。リブ４５は、注出口部２２および蓋部２３の一体成型時に形成される。
【００１８】
注出口部２２のフランジ３１と、蓋部２３のフランジ４２とは、線状の接続部材４６により接続されている。接続部材４６の長さは、例えば図１に示すように蛇行するように形成されることにより、フランジ３１とフランジ４２との距離よりも長く設定されている。接続部材４６は、紐状または帯状等であってもよく、注出口部２２および蓋部２３の一体成型時に併せて形成されるのが簡便であり、好ましい。
【００１９】
上記のように構成された本実施形態のパウチ容器１は、容器本体１０に内容物を充填し、口栓２０を取り付けて容器本体１０を密封すると完成する。内容物の充填と口栓２０の取り付けはいずれが先でも構わず、口栓２０を先に取り付ける場合は、容器本体１０の底部側から内容物を充填した後、底部を接合して密封すればよい。
【００２０】
パウチ容器１の使用時の動作について説明する。
パウチ容器１を開封する際、使用者は、口栓２０の基部２１あるいは注出口部２２を保持した状態で蓋部２３に対して力を加える。例えば、注出口部２２に対して蓋部２３を内腔の軸線Ｘ回りに回転させたり、軸線Ｘに対して傾けたりするような力を加える。すると、当該力により薄肉部４４が破断されて蓋部２３が注出口部２２から切り離され、容器本体２０内の内容物を注出口部２２から取り出せる状態になる。
【００２１】
開封後、一時的にパウチ容器１に封をしたいときは、蓋部２３の本体部４１を下端側から注出口部２２の内腔に挿入する。すると、内腔の内面と大径部４３の外面との間に生じる摩擦力によって蓋部２３が注出口部２２に対して係止され、注出口部２２が再封されて密閉状態が保持される。
蓋部２３と注出口部２２とを接続する接続部材４６は、フランジ３１とフランジ４２との距離よりも長いため、上述の開封操作および再封操作を妨げることはなく、好適に操作を行うことができる。
【００２２】
以上説明したように、本実施形態のパウチ容器１によれば、口栓２０において蓋部２３が接続部材４６により注出口部２２と接続されているため、開封後も蓋部２３が注出口部２２から完全に離れずに注出口部２２と接続された状態が保持される。したがって、廃棄時のゴミの点数が増えず、使用後の廃棄を容易に行うことができる。また蓋部２３の紛失を防止し、再封できなくなる事態を好適に防止することができる。
【００２３】
また、開封前の状態において、注出口部２２と蓋部２３とが薄肉部４４にわたり水密を保持して接続されているため、スクリュー式の口栓よりも確実に密封状態を保持することができる。
さらに、薄肉部４４にリブ４５が形成されているため、リブ４５の数や寸法を適宜調節することで、薄肉部４４の剛性を自在に調節することができる。このような調整は、開封操作に必要とされる力量を調節して使い勝手を向上させたり、パウチ容器１が口栓２０側から落下した際の薄肉部４４の破損を防止したりする際に有用である。
【００２４】
本実施形態において、リブ４５の形状は図示したものに限られず、薄肉部４４の設定強度等に鑑みて適宜変更することができる。例えば、図５に示す変形例のように、リブ４５Ａが大径部４３と連続するように形成されてもよい。このようにすると、リブの強度を増すことができるとともに、再封時に蓋部２３を注出口部２２に係止する摩擦力の調節にリブを利用することができる。
大径部と連続するリブと、連続しないリブとを組み合わせて設けることももちろん可能である。
【００２５】
本発明の第二実施形態について、図６から図８を参照して説明する。本実施形態のパウチ容器と、第一実施形態のパウチ容器１との異なるところは、口栓において、上述のリブに加えてさらに第二リブを備える点である。なお、以降の説明において、すでに説明したものと共通する構成については、同一の符号を付して重複する説明を省略する。
【００２６】
図６は、本発明のパウチ容器における口栓６０を一部断面で示す正面図である。口栓６０は、口栓２０と同様に、注出口部２２および蓋部２３を備えているが、蓋部２３のフランジ４２からは、下端に向かって２枚の板状の第二リブ６１が延びている。各第二リブ６１において長手方向に延びる側面のうち、面積の大きい二つの主面６１Ａおよび６１Ｂ（６１Ａの裏側の面）は、注出口部２２の外周面と交差する仮想面内に配置されている。
【００２７】
各第二リブ６１は、接続部６２を介して注出口部２２の外面と接続されている。接続部６２は、使用者が所定値以上の大きさの力を加えることで破壊できるように形成されており、口栓６０の成型時に併せて形成されるのが簡便で好ましい。接続部６２の具体的な構成に特に制限はなく、例えばハーフカット等の公知の各種易破壊構造が採用されてもよい。
【００２８】
本実施形態のパウチ容器を開封する際は、蓋部２３に力を加えて接続部６２および薄肉部４４を破壊する。その他の点は第一実施形態と同様である。
【００２９】
本実施形態のパウチ容器においても、第一実施形態のパウチ容器１と同様に、使用後の廃棄を容易に行うことができるとともに、蓋部２３の紛失を防止することができる。
また、蓋部２３と注出口部２２とが、第二リブ６１を介して接続されているため、パウチ容器が口栓６０側から落下した際に、一定の確率で、薄肉部４４でなく第二リブ６１が床面等に接触する。このとき第二リブ６１が受ける衝撃は、第二リブ６１から注出口部２２の外周面に伝達され、薄肉部４４には直接作用しないため、落下による薄肉部の破損をより確実に防止することができる。
【００３０】
さらに、第二リブ６１の主面６１Ａ、６１Ｂが注出口部２２の外周面と交差するように配置されているため、使用者は主面６１Ａまたは６１Ｂに対して力を加えることで、接続部６２を容易に破壊することができ、開封操作を容易に行うことができる。
【００３１】
なお、本実施形態においては、図７および図８に示す変形例のように、第二リブの主面６１Ａ、６１Ｂが注出口部２２の外周面と交差する仮想面内に位置しないように配置されてもよい。この場合は、パウチ容器が口栓６０側から落下した際に第二リブ６１が床面等に接触する確率を高めることができ、好適に薄肉部を保護することができる。
【００３２】
以上、本発明の各実施形態について説明したが、本発明の技術範囲は上記実施の形態に限定されるものではなく、本発明の趣旨を逸脱しない範囲において各構成要素に種々の変更を加えたり、削除したり、各実施形態の構成を組み合わせたりすることが可能である。
【００３３】
例えば、本発明のパウチ容器の口栓において、蓋部は、内腔を有する有底の筒状とされてもよいし、中実の略柱状に構成されてもよい。ただし、前者のようにすると、口栓の形成に必要な樹脂等の材料を低減させることができ、製造コストを低下させることができる。
【符号の説明】
【００３４】
１  パウチ容器
１０  容器本体
２０、６０  口栓
２１  基部
２２  注出口部
２３  蓋部
３１  フランジ
４２  フランジ（第二フランジ）
４４  薄肉部
４５  リブ
４６  接続部材
６１  第二リブ
【図１】
2014073865.tif 000003
【図２】
2014073865.tif 000004
【図３】
2014073865.tif 000005
【図４】
2014073865.tif 000006
【図５】
2014073865.tif 000007
【図６】
2014073865.tif 000008
【図７】
2014073865.tif 000009
【図８】
2014073865.tif 000010